(57)【要約】      （修正有）【課題】薄型化を図れる携帯機器のスライド機構及びその携帯機器のスライド機構を備えた携帯電話機を提供する。【解決手段】第１筐体１１に取り付けられるベース部材２と、このベース部材２に対しスライド可能に係合され、第２筐体１２に取り付けられるスライダー３と、スライダー３とベース部材２との間に設けられ、一端部がベース部材２に連結されると共に他端部がスライダー３に連結されてスライダー３を所定の開閉位置から閉成方向又は開成方向にスライド付勢するスライド付勢手段４とを備える。このスライド付勢手段４が２本以上の線材を組み合わせてなる携帯電話機。【選択図】図１
2007214889.tif 000002
【特許請求の範囲】
【請求項１】
携帯機器を構成する第１筐体と第２筐体とを互いに重ね合わせた状態で相対的に直線方向へ開閉可能にスライドさせるスライド機構であって、
前記第１筐体及び前記第２筐体のいずれか一方の筐体に取り付けられるベース部材と、このベース部材に対しスライド可能に係合され、前記第１筐体及び前記第２筐体のいずれか他方の筐体に取り付けられるスライダーと、このスライダーと前記ベース部材との間に設けられ、一端部が前記ベース部材に連結されると共に他端部が前記スライダーに連結されて前記ベース部材に対して前記スライダーを所定の開閉位置から閉成方向又は開成方向にスライド付勢するスライド付勢手段とからなり、
このスライド付勢手段が、２本以上の線材を組み合わせてなることを特徴とする、携帯機器のスライド機構。
【請求項２】
前記スライド付勢手段が、２本のツイスト状の線材を互いに絡ませて形成されている第１スライド付勢部材であることを特徴とする、請求項１に記載の携帯機器のスライド機構。
【請求項３】
前記スライド付勢手段が、コイル状の線材の中に直線状の線材を通して形成されている第２スライド付勢部材であることを特徴とする、請求項１に記載の携帯機器のスライド機構。
【請求項４】
前記請求項１〜３のいずれか１項に記載の携帯機器のスライド機構を備えたことを特徴とする、携帯電話機。
【発明の詳細な説明】
【技術分野】
【０００１】
本発明は、携帯機器を構成する第１筐体と第２筐体とを互いに重ね合わせた状態で相対的に直線方向に開閉可能にスライドさせる際に用いられて好適な携帯機器のスライド機構及びその携帯機器のスライド機構を備えた携帯電話機に関するものである。
【背景技術】
【０００２】
携帯機器の一種である携帯電話機において、キーボード部やマイク部等を上面に設けた送話部としての第１筐体と、ディスプレイ部やスピーカー部等を上面に設けた受話部としての第２筐体とを有し、これらの第１筐体と第２筐体が完全に重なり合って第２筐体で第１筐体の上面を覆う閉成状態と、第２筐体を第１筐体に対して長手方向へスライドさせて第１筐体の上面を露出させる開成状態とを作り出す、スライド機構付きのものが市場に出回っている。このようなスライド機構を有する携帯電話機としては、下記する特許文献１に記載されたものが公知である。
【特許文献１】特開２００３−１２５０５２号公報
【発明の開示】
【発明が解決しようとする課題】
【０００３】
この特許文献１に記載されたものは、スライドカバーとロックプレートを重ね合わせて固着したスライドケースを第２筐体の下面に取り付けると共に、スライドケース内に摺動可能に収装したスライダーを第１筐体の上面に取り付けることで、第２筐体を第１筐体に対してスライドさせることができるという構成のものであった。このような構成であると、第１筐体と第２筐体の相対的操作、即ち、スライド操作は全て手動で行わなくてはならず、操作性の点で難点があった。このため、本出願人は先に、半自動でスライド操作を行えるスライド機構を提案した。
【０００４】
このスライド機構は、例えば、第１筐体の上面に取り付けられるベース部材と、そのベース部材に摺動可能に係合されたスライダーと、ベース部材とスライダーとの間に設けられ、スライダーをベース部材に対する所定の摺動位置から閉方向又は開方向へ摺動付勢させる付勢手段とで構成されており、スライダーがベース部材に対する所定の摺動位置から閉方向又は開方向へ摺動付勢されるので、第１筐体と第２筐体を相対的な所定のスライド位置から自動的に開閉できるものである。
【０００５】
このスライド機構の付勢手段としては、トーションスプリングが用いられており、このトーションスプリングの代わりにコンプレッションスプリングを用いることもできる。ところで、近年、携帯機器、例えば、携帯電話機等は、多機能化と共に薄型化が図られており、できるだけ薄型化を図りたい。トーションスプリングはベース部材とスライダーとの間に設けられているために、ベース部材とスライダーの間の間隔は、バネの厚みによってきまるので、これ以上薄型化を図れない。また、付勢手段としてトーションスプリングやコンプレッションスプリングを用いると、スプリングの付勢力がコイルの径で決まるために、スプリングの付勢力を強くするには、バネの厚みが増して薄型化を図れないどころか逆に厚さが厚くなる。
【０００６】
本発明は、前記課題を解決するためになされたものであって、その目的は、薄型化を図れる携帯機器のスライド機構及びその携帯機器のスライド機構を備えた携帯電話機を提供することにある。
【課題を解決するための手段】
【０００７】
前記の目的を達成するための本発明に係る携帯機器のスライド機構は、携帯機器を構成する第１筐体と第２筐体とを互いに重ね合わせた状態で相対的に直線方向へ開閉可能にスライドさせるスライド機構であって、前記第１筐体及び前記第２筐体のいずれか一方の筐体に取り付けられるベース部材と、このベース部材に対しスライド可能に係合され、前記第１筐体及び前記第２筐体のいずれか他方の筐体に取り付けられるスライダーと、このスライダーと前記ベース部材との間に設けられ、一端部が前記ベース部材に連結されると共に他端部が前記スライダーに連結されて前記ベース部材に対して前記スライダーを所定の開閉位置から閉成方向又は開成方向にスライド付勢するスライド付勢手段とからなり、このスライド付勢手段が、２本以上の線材を組み合わせてなることを特徴とする。
【０００８】
この発明によれば、スライド付勢手段が２本以上の線材を組み合わせてなることにより、細い線材を用いても付勢力を強くすることができるために、ベース部材とスライダーとの間の間隔を狭くすることができるので、全体的な厚さを薄くすることができる。
【０００９】
本発明に係る携帯機器のスライド機構において、前記スライド付勢手段が、２本のツイスト状の線材を絡ませて形成されている第１スライド付勢部材であることが好ましい。また、本発明に係る携帯機器のスライド機構において、前記スライド付勢手段が、コイル状の線材の中に直線状の線材を通して形成されている第２スライド付勢部材であることが好ましい。
【００１０】
また、本発明に係る携帯電話機は、前記の本発明に係る携帯機器のスライド機構を備えたことを特徴とする。この発明によれば、前述と同様に、スライド付勢手段が２本以上の線材を組み合わせてなることにより、細い線材を用いても付勢力を強くすることができるために、ベース部材とスライダーとの間の間隔を狭くすることができるので、全体的な厚さを薄くすることができる。
【発明の効果】
【００１１】
以上説明したように本発明に係る携帯機器のスライド機構及び携帯電話機によれば、スライド付勢手段が２本以上の線材を組み合わせてなることにより、細い線材を用いても付勢力を強くすることができるために、ベース部材とスライダーとの間の間隔を狭くすることができるので、全体的な厚さを薄くすることができ、薄型化を図れる。
【発明を実施するための最良の形態】
【００１２】
以下、本発明に係る携帯機器のスライド機構及び携帯電話機を添付図面に基づいて詳述する。
【００１３】
図１及び図２は本発明に係る携帯機器のスライド機構の一例を示す図である。本発明に係る携帯機器のスライド機構は、図１及び図２に示すように、携帯機器を構成する第１筐体１１と第２筐体１２とを互いに重ね合わせた状態で相対的に直線方向に開閉可能にスライド係合させるものである。このスライド機構１は、第１筐体１１及び第２筐体１２のいずれか一方の筐体例えば第１筐体１１の上面を第１筐体１１及び第２筐体１２のいずれか他方の筐体例えば第２筐体１２で覆う閉成状態（図１（ａ）参照。）と、第１筐体１１の上面を露出させる開成状態（図１（ｃ）参照。）とを形成するものである。
【００１４】
携帯機器としては、特に限定されず、例えば、携帯電話機、ノート型のパソコン、ザウルス（商標）等の携帯情報端末機、電卓、ポケットコンピュータ、携帯ゲーム機等が挙げられ、特に携帯電話機が好ましいものとして挙げられる。なお、本発明において携帯機器としては、その他、灰皿、ケース蓋等も含まれる。すなわち、２つの筐体を互いにスライドさせるものであれば特に限定されない。また、本実施の形態では、携帯機器として携帯電話機１０について説明するが、これに限定されるものではない。
【００１５】
第１筐体１１は、携帯電話機１０の送話部を構成するものであり、キーボード部１１ａやマイク部（図示せず）等を上面に有している。第１筐体１１は、細長の略矩形状に形成されている。第２筐体１２は、同じく携帯電話機１０の受話部を構成するものであり、ＬＣＤなどのディスプレイ部１２ａ、スピーカー部（図示せず）、カメラ部（図示せず）等を上面に有している。第２筐体１２は、第１筐体１１と略同じ細長の略矩形状に形成されている。なお、第１筐体１１及び第２筐体１２は、図１及び図２においていずれも想像線で記載してある。
【００１６】
これらの第１筐体１１と第２筐体１２とが互いに重ね合わされた閉成状態から例えば第１筐体１１に対して第２筐体１２をその長手方向の直線方向に相対的にスライド移動可能に第１筐体１１と第２筐体１２とがスライド機構１を介して連結されて携帯電話機１０が構成されている。すなわち、この携帯電話機１０は、第１筐体１１の上面に第２筐体１２の下面が重ね合わされてキーボード部１１ａ等を閉塞すると共に、第１筐体１１の上面から第２筐体１２の下面がスライド移動してキーボード部１１ａ等を露出させることができるようになっている。
【００１７】
また、第１筐体１１の上面の両側部には、棚部１１ｃ、１１ｃが設けられている。また、第２筐体１２の下面の両側部には、棚部１１ｃ、１１ｃに摺接するスライド部１２ｃ、１２ｃが設けられている。これらの棚部１１ｃ、１１ｃ及びスライド部１２ｃ、１２ｃは、閉成状態のとき棚部１１ｃ、１１ｃの一方の端部とスライド部１２ｃ、１２ｃの一方の端部とが当接し、開成状態のとき棚部１１ｃ、１１ｃの他方の端部とスライド部１２ｃ、１２ｃの他方の端部とが当接するようにそれぞれ形成されていることが好ましい。尚、この棚部１１ｃ、１１ｃとスライド部１２ｃ、１２ｃは、省略しても良い。
【００１８】
本発明に係る携帯機器のスライド機構１は、第１筐体１１及び第２筐体１２のいずれか一方の筐体例えば第１筐体１１に取り付けられるベース部材２と、このベース部材２に対しスライド可能に係合され、第１筐体１１及び第２筐体１２のいずれか他方の筐体例えば第２筐体１２に取り付けられるスライダー３と、このスライダー３とベース部材２との間に設けられ、一端部がベース部材２に連結されると共に他端部がスライダー３に連結されてベース部材２に対してスライダー３を所定の開閉位置から閉成方向又は開成方向にスライド付勢するスライド付勢手段４とからなり、このスライド付勢手段４が、２本以上の線材５（図５及び図６参照。）を組み合わせてなることに特徴がある。なお、スライド付勢手段４は、図１において状態がわかるように形状を省略した状態で記載してあり、また、図２において想像線で記載してある。
【００１９】
ベース部材２は、第１筐体１１の上面の上方に例えばねじやビス等により固着されている。ベース部材２は、第１筐体１１の幅方向に長い略矩形状に形成されている。ベース部材２は、略矩形状に形成されている基部２１と、基部２１の両側部を上方すなわち第２筐体１２側にそれぞれ略直角に折り曲げられた側部２２と、側部２２の先端部を基部２１側に略直角に折り曲げられて側部２２と基部２１側とからなる略コ字状のスライド凹部２５とを有している。ベース部材２は、例えばステンレス製の金属プレートをプレス加工することにより形成される。また、ベース部材２は、合成樹脂等の成型品であってもよい。
【００２０】
基部２１すなわちベース部材２の幅は、第１筐体１１の幅より小さい、例えば、若干小さな寸法で形成されている。基部２１の側部２２近傍には、ベース部材２を第１筐体１１に取り付けるための固定孔２３が２つ以上例えば３つ設けられている。これら固定孔２３に、例えばビス（図示せず）が挿入されてベース部材２が第１筐体１１に固着される。なお、固定孔の内壁には例えばネジ溝を設けて、ベース部材２をねじ（図示せず）を用いて第１筐体１１に固着するようにしてもよい。
【００２１】
また、ベース部材２（基部２１）の中央部付近であって一方の側部側で、中央部より両端部側には、スライド付勢手段４の一端部を取り付けるための第１取付孔２７が２つ設けられている。これら第１取付孔２７に取付シャフト１５が取り付けられる。取付シャフト１５は、第１取付孔２７の径より大きな寸法の径の２つの大径部及びこれら大径部間に設けられ大径部より径が小さい小径部からなるシャフト部１５ａと、このシャフト部１５ａに同軸上に設けられ、第１取付孔２７に挿入されて取り付けられる取付部１５ｂとからなる。
【００２２】
また、スライド凹部２５内には、スライド凸部３５とのスライドが円滑に行われるようにスライド案内部材２９が設けられている。このスライド案内部材２９は、特に限定されないが、例えば、摩擦係数が小さい樹脂等で、略凹状に形成されていることが好ましい。
【００２３】
スライダー３は、第２の筐体１２の下面の上方近傍から下方近傍にかけて例えばねじやビス等により固着されている。スライダー３は、細長の略矩形状に形成されている基部３１と、基部３１の両側部をベース部材２側にそれぞれ略直角に折り曲げてからさらに基部３１とは逆側に略直角に折り曲げてなるスライド凸部３５とを有している。スライダー３は、例えばステンレス製の金属プレートをプレス加工することにより形成される。また、スライダー３は、合成樹脂等の成型品であってもよい。
【００２４】
スライダー３のスライド凸部３５の先端部間の長さは、ベース部材２の側部２２の内面間の長さより若干小さな寸法で形成されていることが好ましい。スライダー３の基部３１の両側部近傍には、スライダー３を第２筐体１２に取り付けるための固定孔３３が２つ以上例えば図示例では８つ設けられている。これら固定孔３３に、例えばビス（図示せず）が挿入されてスライダー３が第２筐体１２に固着される。なお、固定孔３３の内壁には例えばネジ溝を設けて、スライダー３をねじ（図示せず）を用いて第２筐体１２に固着するようにしてもよい。
【００２５】
スライダー３のスライド凸部３５がベース部材２のスライド凹部２５とそれぞれスライド係合して、ベース部材２及びスライダー３を介して第１筐体１１及び第２筐体１２が互いにその長手方向に直線上にスライドするようになっている。ベース部材２の側部２２の内側であるスライド凹部２５にスライダー３のスライド凸部３５がスライド係合することにより、ベース部材２とスライダー３とが略細長の矩形筒状に形成される。
【００２６】
スライド凹部２５にスライド凸部３５が係合されている状態、すなわち、ベース部材２及びスライダー３がスライド係合している状態で、ベース部材２に対するスライダー３の移動範囲が規制されるようにスライダー３にストッパ部材等を設けたり第１筐体１１及び第２筐体１２に移動規制部を設けたりすることが好ましい。スライド凸部３５がスライド凹部２５の一方の端部近傍に位置されている状態が、第１筐体１１と第２筐体１２とが重なり合った閉成状態である（図１（ａ）参照。）。スライド凸部３５がスライド凹部２５の他方の端部近傍に位置されている状態が開成状態である（図１（ｃ）参照。）。これら閉成状態と開成状態との間の状態が中立状態である（図１（ｂ）参照。）。なお、ベース部材２を第１筐体１１に取り付け、スライダー３を第２筐体１２に取り付けたが、ベース部材２を第２筐体１２に取り付け、スライダー３を第１筐体１１に取り付けるようにしてもよい。
【００２７】
また、スライダー３（基部３１）の中央部付近であって他方の側部（ベース部材２の他方の側部と対向する側の側部）側で、スライダー３とベース部材２が中立状態のときにスライダー３の中心線（長手方向に延びる中心線）を中心に第１取付孔２７と対称の位置には、スライド付勢手段４の他端部を取り付けるための第２取付孔３７が２つ設けられている。これら第２取付孔３７は、第１取付孔２７と同径で形成されて、取付シャフト１５が取り付けられる。なお、第１取付孔２７と第２取付孔３７を中立状態のときにスライダー３の中心線を中心に対称になるように配置したが、これに限定されるものではなく、第１取付孔２７と第２取付孔３７を中立状態のときにスライダー３の中心線を中心に対称に配置しなくてもよい。
【００２８】
スライド付勢手段４は、ベース部材２とスライダー３とを互いに所定の開閉位置、例えば、中立位置（中立状態）から開成方向又は閉成方向にスライド付勢するものであり、ベース部材２とスライダー３との間に設けられている。スライド付勢手段４は、トーションスプリングやコンプレッションスプリングを用いる場合に比してベース部材２とスライダー３との間の間隔を狭くできるようにしたものである。このスライド付勢手段４は、図３及び図４に示すように、２本以上の線材５（５ａ、５ｂ、５ｃ、５ｄ）を組み合わせて付勢力を強くすることができるものである。
【００２９】
スライド付勢手段４は、２本以上の線材５を組み合わせて付勢力を強くすることができれば、特に限定されないが、例えば、２本の線材５（５ａ、５ｂ、５ｃ、５ｄ）を組み合わせてなることが好ましい。このスライド付勢手段４の線材としては、一般にスプリング、例えば、トーションスプリングやコンプレッションスプリング等に用いられているもの等が用いられる。また、線材５の断面形状は、特に限定されず、例えば、断面円形、断面正方形、断面矩形、断面楕円形等の形状が挙げられる。この線材５を２本組み合わせるが、線材５の形状は特に限定されない。すなわち、スライド付勢手段４は、２本の線材５を組み合わせてなるものであれば特に限定されず、例えば、ツイスト状の２本の線材５ａ、５ｂを組み合わせてなる第１スライド付勢部材４１や、コイル状の線材５ｄの中に直線状の線材５ｃを通して形成された第２スライド付勢部材４２等が好ましいものとして例示される。
【００３０】
第１スライド付勢部材４１は、ツイスト状の２本の線材５ａ、５ｂを組み合わせて付勢力が直線状に作用するように形成されているものであれば特に限定されない。ツイスト形状は、特に限定されないが、直線状に延びていることが好ましいく、また、ツイスト形状は同じ形状であることが好ましい。２本の線材５ａ、５ｂをツイスト箇所で互いに絡み合わせる。これら２本の線材５ａ、５ｂのいずれか１本の線材５ａの長さを長く形成して、この線材の両端部を、例えば、円形状や湾曲状、又は円弧状、図示例では円弧状に形成して装着部５ａａとして、取付シャフト１５のシャフト部１５ａに回動可能に枢支される（装着される）ようにする。これにより、直線状になるように付勢力が作用する第１スライド付勢部材４１が得られる。この第１スライド付勢部材４１の長手方向の長さは、閉成状態にあるベース部材２の一方の端部側の第１取付孔２７とスライダー３の一方の端部側の第２取付孔３７との間の長さと同じ寸法以上、例えばその長さより長い寸法で形成されていることが好ましい。
【００３１】
この第１スライド付勢部材４１の一方の装着部５ａａをベース部材２の一方の第１取付孔２７に取り付けられている取付シャフト１５に装着すると共に、第１スライド付勢部材４１の他方の装着部５ａａをスライダー３の一方の第２取付孔３７に取り付けられている取付シャフト１５に装着する。もう１つの第１スライド付勢部材４１を、同様に、他方の第１取付孔２７に及び第２取付孔３７にそれぞれ取り付けられている取付シャフト１５にそれぞれ装着する。これにより、２つの第１スライド付勢部材４１は、閉成状態及び開成状態のときには付勢力に抗して略円弧状にたわむ（図１（ａ）及び図１（ｃ）参照。）と共に、中間状態のときには略円形状、略楕円形状、略長円形状等のようにさらに付勢力に抗して曲る（図１（ｂ）参照。）ようになっている。
【００３２】
第２スライド付勢部材４２は、コイル状の線材５ｄの中に直線状の線材５ｃを通して付勢力が直線状に作用するように形成されているものであれば特に限定されない。コイル状の線材５ｄとしては特に限定されない。直線状の線材５ｃも特に限定されないが、この直線状の線材５ｃをコイル状の線材５ｄに通して組み合わせる。この直線状の線材５ｃの両端部を、例えば、円形状や湾曲状、又は円弧状、図示例では円弧状に形成して装着部５ｃａとして、取付シャフト１５に回動可能に枢支される（装着される）ようにする。これにより、直線状になるように付勢力が作用する第２スライド付勢部材４２が得られる。この第２スライド付勢部材４２の長手方向の長さは、閉成状態にあるベース部材２の一方の端部側の第１取付孔２７とスライダー３の一方の端部側の第２取付孔３７との間の長さと同じ寸法以上、例えばその長さより長い寸法で形成されていることが好ましい。
【００３３】
この第２スライド付勢部材４２の一方の装着部５ｃａをベース部材２の一方の第１取付孔２７に取り付けられている取付シャフト１５に装着すると共に、第２スライド付勢部材４２の他方の装着部５ｃａをスライダー３の一方の第２取付孔３７に取り付けられている取付シャフト１５に装着する。もう１つの第２スライド付勢部材４２を、同様に、他方の第１取付孔２７に及び第２取付孔３７にそれぞれ取り付けられている取付シャフト１５にそれぞれ装着する。これにより、２つの第２スライド付勢部材４２は、閉成状態及び開成状態のときには付勢力に抗して略円弧状にたわむ（図１（ａ）及び図１（ｃ）参照。）と共に、中間状態のときには略円形状、略楕円形状、略長円形状等のようにさらに付勢力に抗して曲る（図１（ｂ）参照。）ようになっている。
【００３４】
次に本発明に係るスライド機構１及び携帯電話機１０の作用を説明する。
【００３５】
携帯電話機１０が使用されていない状態では、図１（ａ）に示すように、第１筐体１１と第２筐体１２とが互いに重なり合った閉成状態である。このとき、２つのスライド付勢手段４はその付勢力に抗して円弧状にたわんでいるために、その付勢力によってベース部材２とスライダー３とが閉成方向にスライド付勢されているので、第１筐体１１と第２筐体１２とが閉成状態に保持されている。なお、この閉成状態をより確実に維持するために、ロック機構を設けるようにしてもよい。
【００３６】
この携帯電話機１０で通話等を行うには、例えば、第１筐体１１を固定した状態で第２筐体１２を開成方向にスライドさせる。すると、スライド付勢手段４の両端部間の長さが短くなる、すなわち、スライドさせるときの力がスライド付勢手段４の両端部を介してスライド付勢手段４に作用して荷重を受けてその付勢力に抗してスライド付勢手段４がさらに曲がる。
【００３７】
そして、図１（ｂ）に示すように、スライド付勢手段４の両端部間の長さが最小になる、すなわち、スライド付勢手段４の両端部が第１筐体１１又は第２筐体１２の幅方向に延びる直線上に位置されると、スライド付勢手段４は最小に湾曲する。この状態が中立状態であり、この中立状態を過ぎると、スライド付勢手段４の両端部の位置が入れ替わると共に付勢力によりスライド付勢手段４が元の形状に戻ろうとする。すなわち、スライド付勢手段４の両端部が互いに離間する方向に付勢されるので、第１筐体１１と第２筐体１２とが互いに開成方向に自動的にスライド移動して、図１（ｃ）に示すように、第１筐体１１と第２筐体１２とが開成状態になり、その状態に保持される。これにより、第１筐体１１の上面に設けたキーボード部１１ａが露出するので、通話及びキーボード操作が可能となり、携帯電話機１０を用いて通話等を行える状態になる。なお、この開成状態をより確実に維持するために、ロック機構を設けるようにしてもよい。よって、閉成状態から開成状態にスライド移動させるときに半自動でスライド動作を行えることになる。
【００３８】
第２筐体１２を元の位置に戻すには、例えば、第１筐体１１を固定した状態で第２筐体１２を閉成方向にスライドさせる。すると、スライド付勢手段４の両端部間の長さが短くなり、中立状態を過ぎると、スライド付勢手段４の両端部が互いに離間する方向に付勢されるので、第１筐体１１と第２筐体１２とが互いに閉成方向に自動的にスライド移動して、図１（ａ）に示すように、第１筐体１１と第２筐体１２とが閉成状態に保持される。よって、開成状態から閉成状態にスライド移動させるときに半自動でスライド動作を行えることになる。
【００３９】
スライド付勢手段４が、２本以上の線材５ａ、５ｂ、５ｃ、５ｄを組み合わせてなるので、全体としての厚さを薄くすることができる。すなわち、トーションスプリングやコンプレッションスプリングを用いる場合には、それらのスプリングの付勢力は、線材の径等で決まるために、薄型を図りたいときには、線材の径が小さくなってスプリングの付勢力が弱くなるので、薄型化を図れない。
【００４０】
これに対して、本発明に係るスライド付勢手段４である第１スライド付勢部材４１及び第２スライド付勢部材４２は、例えば、２本の線材５ａ、５ｂ、５ｃ、５ｄを組み合わせてなるために、細い線材でも付勢力を強くすることができる。例えば、１本の線材により形成されている場合の厚み内で、この１本の線材の径より例えば半分以下の寸法の径の線材を図３及び図４に示すように組み合わせることによって、付勢力を強くすることが可能となる。よって、スライド付勢手段４の厚さを薄くできるので、その結果、薄型化を図れる。
【００４１】
したがって、本発明に係る携帯機器のスライド機構１及び携帯電話機１０は、スライド付勢手段４が、２本の線材５ａ、５ｂ、５ｃ、５ｄを組み合わせてなるので、全体的な厚さを薄くすることができ、薄型化を図れる。
【００４２】
また、スライド付勢手段４は、２本以上の線材５ａ、５ｂ、５ｃ、５ｄが組み合わせられていることにより、各線材５ａ、５ｂ、５ｃ、５ｄの径や組み合わせを変えたりすることで、スライド付勢手段４の付勢力を調節することができる。その結果、携帯電話機１０に適した付勢力にスライド付勢手段４を調節することができるので、汎用性が高いものである。
【産業上の利用可能性】
【００４３】
以上説明したように本発明に係る携帯機器のスライド機構は、スライド付勢手段が２本以上の線材を組み合わせてなることにより、細い線材を用いても付勢力を強くすることができるために、ベース部材とスライダーとの間の間隔を狭くすることができるので、全体的な厚さを薄くすることができ、携帯端末の中でもとくに携帯電話機のスライド機構として好適に用いられるものである。
【図面の簡単な説明】
【００４４】
【図１】本発明に係る携帯機器のスライド機構の一例を示す平面図で、（ａ）は閉成状態を示す図、（ｂ）は中間状態を示す図、（ｃ）は開成状態を示す図である。
【図２】本発明に係る携帯機器のスライド機構の一例を示す概略正面図である。
【図３】本発明に係る第１スライド付勢部材の一例を示す平面図である。
【図４】本発明に係る第２スライド付勢部材の一例を示す平面図で、（ａ）は一方の線材の一例を示す図、（ｂ）は他方の線材の一例を示す図、（ｃ）は２本の線材を組み合わせた状態を示す図である。
【符号の説明】
【００４５】
１  スライド機構
２  ベース部材
３  スライダー
４  スライド付勢手段
５ａ  線材
５ｂ  線材
５ｃ  線材
５ｄ  線材
１０  携帯電話機
１１  第１筐体
１２  第２筐体
４１  第１スライド付勢部材
４２  第２スライド付勢部材
【図１】
2007214889.tif 000003
【図２】
2007214889.tif 000004
【図３】
2007214889.tif 000005
【図４】
2007214889.tif 000006